(57)【要約】【課題】  サーバから端末装置へのコンテンツの配信に、娯楽性を付与する。【解決手段】  サーバ２が、楽曲データを端末装置３ａ〜３ｃに配信する前に、格納されている楽曲データを使用したクイズを作成して、作成したクイズを端末装置３ａ〜３ｃに配信する。端末装置３ａ〜３ｃは、クイズに対する返答を作成してサーバ２に送信する。サーバ２は、端末装置３ａ〜３ｃから送信された返答を受信し、返答の正否に応じて、楽曲データの購入金額を割引したり、楽曲データの配信速度を変化させるなど、楽曲データの配信に付加するサービスの内容を変化させる。【選択図】  図６
2005122663.tif 000002
【特許請求の範囲】
【請求項１】
ネットワーク網を介して、端末装置と、上記端末装置に対してコンテンツを送信するサーバとが接続しているコンテンツ配信システムにおいて、
上記端末装置は、上記サーバに格納されているコンテンツのうち所望のコンテンツを選択して、選択したコンテンツの配信要求を示す配信要求データを作成して上記サーバに送信する配信要求データ作成手段と、上記サーバから送信された質問に対する返答を作成して上記サーバに送信する返答作成手段とを備え、
上記サーバは、上記配信要求データにより上記端末装置に対して配信するように要求されたコンテンツに基づいてユーザの嗜好性を分析し、分析した嗜好性に応じて格納されたコンテンツを使用した質問を作成して上記端末装置に対して送信する質問作成手段と、上記端末装置から送信された上記返答の正否に応じて、上記端末装置に対して上記配信要求データにより上記端末装置に対して配信するように要求されたコンテンツを配信するときに付加するサービス内容を決定するサービス決定手段とを備えること
を特徴とするコンテンツ配信システム。
【請求項２】
上記コンテンツは、楽曲データであることを特徴とする請求項１記載のデータ配信システム。
【請求項３】
上記サーバの上記質問作成手段は、ユーザによって配信要求されたコンテンツの履歴に基づいて、上記質問データを作成することを特徴とする請求項１記載のデータ配信システム。
【請求項４】
上記サーバの上記質問作成手段は、従来の質問に対するユーザの正解率に基づいて、上記質問データを作成することを特徴とする請求項１記載のデータ配信システム。
【請求項５】
ネットワーク網を介して端末装置と接続しており、上記端末装置に対してコンテンツを配信するサーバにおいて、
格納されているコンテンツから選択された所望のコンテンツの配信要求を示す配信要求データを、上記端末装置から受信し、上記配信要求データによって上記端末装置に対して配信するように要求されたコンテンツに基づいてユーザの嗜好性を分析し、分析した嗜好性に応じて格納されたコンテンツを使用した質問を作成する質問作成手段と、
上記端末装置から送信された上記質問に対する返答の正否に応じて、上記端末装置に対して上記配信要求データにより配信するように要求されたコンテンツを送信するときに付加するサービスを決定するサービス決定手段とを備えること
を特徴とするサーバ。
【請求項６】
上記コンテンツは、楽曲データであることを特徴とする請求項５記載のサーバ。
【請求項７】
上記質問作成手段は、ユーザによって配信要求されたコンテンツの履歴に基づいて、上記質問データを作成することを特徴とする請求項５記載のサーバ。
【請求項８】
上記質問作成手段は、従来の質問に対するユーザの正解率に基づいて、上記質問データを作成することを特徴とする請求項５記載のサーバ。
【請求項９】
ネットワーク網を介して、端末装置と、上記端末装置に対してコンテンツを配信するサーバとが接続しているデータ配信システムのデータ配信方法において、
上記端末装置が、上記サーバに格納されているコンテンツのうち所望のコンテンツを選択するコンテンツ選択ステップと、
上記端末装置が、上記コンテンツ選択ステップで選択したコンテンツの配信要求を示す配信要求データを作成する配信要求データ作成ステップと、
上記配信要求データ作成ステップで作成された上記配信要求データを送信する配信要求データ送信ステップと、
上記サーバが、上記端末装置から送信された上記配信要求データを受信して、上記配信要求データによって上記端末装置に対して配信するように要求されたコンテンツに基づいてユーザの嗜好性を分析し、分析した嗜好性に応じて、上記格納手段に格納されたコンテンツを使用した質問を作成する質問作成ステップと、
上記サーバが、上記質問作成ステップで作成された質問を上記端末装置に対して送信する質問送信ステップと
上記端末装置が、上記質問送信ステップで送信された質問を受信して、受信した質問に対する返答を作成する返答作成ステップと、
上記端末装置が、上記返答作成ステップで作成された返答を上記サーバに送信する返答送信ステップと、
上記サーバが、上記返答送信ステップで送信された返答を受信し、受信した返答の正否を判断して、上記端末装置に対してコンテンツを配信するときに付加するサービスを決定するサービス決定ステップとを備えること
を特徴とするコンテンツ配信方法。
【請求項１０】
上記コンテンツは、楽曲データであることを特徴とする請求項９記載のコンテンツ配信方法。
【請求項１１】
上記サーバは、ユーザによって配信要求されたコンテンツの履歴に基づいて、上記質問を作成することを特徴とする請求項９記載のコンテンツ配信方法。
【請求項１２】
上記サーバは、従来の質問に対するユーザの正解率に基づいて、上記質問を作成することを特徴とする請求項９記載のコンテンツ配信方法。
【発明の詳細な説明】
【技術分野】
【０００１】
本発明は、端末装置に対してコンテンツを配信するコンテンツ配信システム、及びコンテンツ配信システムに適用して好適なサーバ、並びにコンテンツ配信方法に関する。
【背景技術】
【０００２】
近年、サーバに多数の楽曲データを格納しておき、この楽曲データをインターネットによって配信する所謂ＥＭＤ（電子音楽配信）サービスが普及しつつある。ＥＭＤサービスでは、ユーザは、検索機能やお勧め機能などを参考にして、サーバに格納されている複数の楽曲データの中から所望の楽曲データを何曲か選択し、ダウンロードすることなどによって、所望の楽曲を聴取することを可能とする。
【０００３】
このＥＭＤサービスは、店舗で行われている楽曲の販売を、インターネットの相互通信機能を使って行ったものである。すなわち、ＥＭＤサービスには、単に楽曲データをダウンロードなどによってユーザに提供し、試聴を含む聴取を可能とするものであるため、ユーザが十分に満足することができない虞が生じる。ユーザを十分に満足させるために、ＥＭＤサービスには、更に娯楽性を付与する必要がある。
【０００４】
娯楽性が付与された電子音楽配信サービスの一例としては、楽曲データの断片にアクセスするためのＵＲＬ（Uniform Resource Locator）をカードに記録し、このカードを商品の景品として添付するサービスが提案されている（例えば、特許文献１）。しかしながら、電子音楽配信サービスでは、この他にも多岐に亘る娯楽性を付与することによって、ユーザを十分に満足させることが求められる。
【０００５】
【特許文献１】特開２００１−１７５２６４号公報
【発明の開示】
【発明が解決しようとする課題】
【０００６】
本発明は、以上説明した従来の実情を鑑みて提案されたものであり、端末装置に対してコンテンツを配信するときに、ユーザに対して、コンテンツの使用を可能とする以外に更に娯楽性を与えることができるデータ配信システム及びデータ配信方法、並びにサーバを提供することを目的とする。
【課題を解決するための手段】
【０００７】
本発明に係るコンテンツ配信システムは、ネットワーク網を介して、端末装置と、上記端末装置に対してコンテンツを送信するサーバとが接続しているコンテンツ配信システムにおいて、上記端末装置は、上記サーバに格納されているコンテンツのうち所望のコンテンツを選択して、選択したコンテンツの配信要求を示す配信要求データを作成する配信要求データ作成手段と、上記サーバから送信された質問に対する返答を作成する返答作成手段とを備え、上記サーバは、上記配信要求データにより上記端末装置に対して配信するように要求されたコンテンツに基づいてユーザの嗜好性を分析し、分析した嗜好性に応じて格納された上記コンテンツを使用した質問を作成する質問作成手段と、上記端末装置から送信された上記返答の正否に応じて、上記端末装置に対して上記配信要求データにより上記端末装置に対して配信するように要求されたコンテンツを配信するときに付加するサービス内容を決定するサービス決定手段とを備えることを特徴とする。
【０００８】
また、本発明に係るサーバは、ネットワーク網を介して端末装置と接続しており、上記端末装置に対してコンテンツを配信するサーバにおいて、格納されているコンテンツから選択された所望のコンテンツの配信要求を示す配信要求データを、上記端末装置から受信する受信手段と、上記配信要求データによって上記端末装置に対して配信するように要求されたコンテンツに基づいてユーザの嗜好性を分析し、分析した嗜好性に応じて格納されたコンテンツを使用した質問を作成する質問作成手段と、上記端末装置から送信された上記質問に対する返答の正否に応じて、上記端末装置に対して上記配信要求データにより上記端末装置に対して配信するように要求されたコンテンツを配信するときに付加するサービス内容を決定するサービス決定手段とを備えることを特徴とする。
【０００９】
また、本発明に係るデータ配信方法は、ネットワーク網を介して、端末装置と、上記端末装置に対してコンテンツを配信するサーバとが接続しているデータ配信システムのデータ配信方法において、上記端末装置が、上記サーバに格納されているコンテンツのうち所望のコンテンツを選択するコンテンツ選択ステップと、上記端末装置が、上記コンテンツ選択ステップで選択したコンテンツの配信要求を示す配信要求データを作成する配信要求データ作成ステップと、上記配信要求データ作成ステップで作成された上記配信要求データを送信する配信要求データ送信ステップと、上記サーバが、上記端末装置から送信された上記配信要求データを受信して、上記配信要求データによって上記端末装置に対して配信するように要求されたコンテンツに基づいてユーザの嗜好性を分析し、分析した嗜好性に応じて、上記格納手段に格納されたコンテンツを使用した質問を作成する質問作成ステップと、上記サーバが、上記質問作成ステップで作成された質問を上記端末装置に対して送信する質問送信ステップと上記端末装置が、上記質問送信ステップで送信された質問を受信して、受信した質問に対する返答を作成する返答作成ステップと、上記端末装置が、上記返答作成ステップで作成された返答を上記サーバに送信する返答送信ステップと、上記サーバが、上記返答送信ステップで送信された返答を受信し、受信した返答の正否を判断して、上記端末装置に対してコンテンツを配信するときに付与するサービスを決定するサービス決定ステップとを備えることを特徴とする。
【発明の効果】
【００１０】
本発明に係るコンテンツ配信システム及びコンテンツ配信方法によれば、サーバが、コンテンツを端末装置に配信する前に、端末装置から送信された配信要求に基づいてユーザの嗜好性を分析し、分析した結果に基づいて、格納されているコンテンツを使用した質問を作成して端末装置に配信する。そして、サーバは、端末装置から送信された返答の正否に応じて、コンテンツを配信するときに付加するサービスの内容を変化させる。
【００１１】
また、本発明に係るサーバは、コンテンツを端末装置に配信する前に、端末装置から送信された配信要求に基づいてユーザの嗜好性を分析し、分析した結果に基づいて、格納されているコンテンツを使用した質問を作成して端末装置に配信する。そして、端末装置から送信された返答の正否に応じて、コンテンツを配信するときに付加するサービスの内容を変化させる。
【００１２】
したがって、本発明に係るコンテンツ配信システム、コンテンツ配信方法、及びサーバによれば、ユーザがネットワーク網を介してコンテンツを購入するときに、ユーザに対してコンテンツを使用する以外に娯楽性を与えることが可能となり、魅力的なサービスを提供することが可能となる。また、サーバに格納されているコンテンツを、通常の配信以外に有効に利用することが可能となる。
【発明を実施するための最良の形態】
【００１３】
以下、本発明を実施するための最良の形態について、図面を参照しながら詳細に説明する。
【００１４】
本発明を適用した楽曲データ配信システム１は、図１に示すように、楽曲データが格納されているサーバ２と、サーバ２から送信された楽曲データを再生する端末装置３ａ〜３ｃとが、ネットワーク網４を介して接続されてなる。なお、ネットワーク網４に接続される端末装置の数は特に限定されない。
【００１５】
端末装置３ａ〜３ｃは、通信機能を備えており、図２に示すように、サーバ２から配信された楽曲データをストリーミング再生する機能を備えている。また、端末装置３ａ〜３ｃは、図３（Ａ）に示すようにサーバ２に格納されている楽曲データ５ａを複製した複製楽曲データ５ｂを、図３（Ｂ）に示すようにサーバ２から受信してメモリに記録し（以下、ダウンロードという。）、図３（Ｃ）に示すようにサーバ２と接続していない状態で再生する機能も備えている。また、端末装置３ａ〜３ｃは、サーバ２に格納されているコンテンツのうち所望のコンテンツを選択して、サーバ２に対して選択したコンテンツの配信を要求する配信要求データを作成して、送信することができる。また、端末装置３ａ〜３ｃには、ブラウザが搭載されており、楽曲データを購入するためのポータルサイトを、表示部（図示せず。）に表示することができる。
【００１６】
なお、図２及び図３では、端末装置３ａのみが示されているが、端末装置３ｂ，３ｃも、端末装置３ａと同様に、楽曲データをストリーミング再生する機能、及び楽曲データをダウンロードしてサーバ２と接続していない状態で再生する機能を備えている。
【００１７】
サーバ２は、楽曲データが格納されており、端末装置３ａ〜３ｃから所望の楽曲データを購入する要求がされたときに、要求された楽曲データを送信する。
【００１８】
また、サーバ２は、端末装置３ａ〜３ｃから購入が要求された楽曲データに基づいてユーザの嗜好性を分析し、分析結果に基づいた質問（以下、クイズという。）を作成し、楽曲データを配信する前に、端末装置３ａ〜３ｃに対して送信する。そして、端末装置３ａ〜３ｃから送信される返答の正否に基づいて、楽曲データを配信するときに付加するサービスを決定する。本実施の形態では、返答の内容が正解だった場合には、楽曲データの配信にかかる料金を１０％割引するサービスを行う。
【００１９】
サーバ２は、図４に示すように、インターネット網４を介してデータの送受信を行う通信部１１と、各種ソフトウェアが格納されているソフトウェア格納部１２と、各種データが格納されているデータ格納部１３と、会員のデータが格納されている会員情報データベース１４と、各部を制御するＣＰＵ（Central Processing Unit）１５と、ＣＰＵ１５の作業領域となるＲＡＭ（Random Access Memory）１６とを備える。通信部１１と、ソフトウェア格納部１２と、データ格納部１３と、会員情報データベース１４と、ＣＰＵ１５と、ＲＡＭ１６とは、バス１７を介して互いに接続している。
【００２０】
ソフトウェア格納部１２は、ホームページ表示ソフトウェア１２ａと、楽曲クイズソフトウェア１２ｂと、ダウンロードソフトウェア１２ｃと、通信容量可変ソフトウェア１２ｄとが格納されている。
【００２１】
ホームページ表示ソフトウェア１２ａは、インターネット網４を介して端末装置３ａ〜３ｃの表示部に、楽曲データを配信するためのホームページを表示させるためのソフトウェアである。
【００２２】
楽曲クイズソフトウェア１２ｂは、端末装置３ａ〜３ｃの表示部で後述するクイズ出題ボタンが選択されたときに、楽曲データを使用してクイズを作成して、端末装置３ａ〜３ｃに対してストリーミング再生するためのソフトウェアである。また、楽曲クイズソフトウェア１２ｂは、端末装置３ａ〜３ｃより送信された返答の正否の判断も行う。
【００２３】
具体的には、楽曲クイズソフトウェア１２ｂは、端末装置３ａ〜３ｃによって、図５（Ａ）に示すように楽曲データの最初の部分のみをストリーミング再生（イントロ再生）したり、図５（Ｂ）に示すように楽曲データを最後からストリーミング再生（逆再生）したり、複数の楽曲データを同時にストリーミング再生することなどによって、クイズを作成する。なお、図中矢印Ａ及び矢印Ｂは、楽曲データの再生方向を示している。
【００２４】
楽曲クイズソフトウェア１２ｂは、ユーザが配信を希望した楽曲データから、ユーザが嗜好する楽曲データのジャンルやアーティスト（以下、嗜好性ともいう。）を割り出し、嗜好性に基づいて、クイズの作成に使用される楽曲データを選択する。また、本実施の形態では、楽曲クイズソフトウェア１２ｂは、ユーザがこれまでに楽曲データの配信を行っているときには、ユーザがこれまで配信を希望した楽曲データの履歴を、ユーザの嗜好性を割り出すために使用する。
【００２５】
また、楽曲クイズソフトウェア１２ｂは、ユーザに対して出題するクイズの難易度を低く設定するときには、ユーザの嗜好性にあったもの、すなわち、ユーザが嗜好するジャンルやアーティストの楽曲データを選択してクイズを作成し、ユーザに対して出題するクイズの難易度を高く設定するときには、ユーザの嗜好性とは離れたもの、すなわち、ユーザが嗜好するジャンルとは異なるジャンルの楽曲データを選択してクイズを作成する。クイズの難易度は、例えば配信を希望する楽曲データの数が多いほど下げたり、過去に正解率が高いユーザに対してクイズを出題する場合に上げたりすることによって変更される。
【００２６】
なお、クイズに使用する楽曲データとして、ユーザの嗜好性に基づいた楽曲データではなく、スポンサーが売り出したい楽曲データを選択しても良い。
【００２７】
ダウンロードソフトウェア１２ｃは、端末装置３ａ〜３ｃの表示部で後述するダウンロードボタンが選択されたときに、楽曲データをダウンロードするためのソフトウェアである。
【００２８】
通信容量可変ソフトウェア１２ｄは、端末装置３ａ〜３ｃに対する楽曲データの配信速度を調整するソフトウェアである。
【００２９】
データ格納部１３は、ホームページデータ１３ａと、楽曲データ１３ｂとを格納している。
【００３０】
ホームページデータ１３ａは、端末装置３ａ〜３ｃの表示部にホームページを提示するために必要なデータである。
【００３１】
楽曲データ１３ｂは、端末装置３ａ〜３ｃに対して配信されるものである。また、ユーザに出題するクイズを作成するためにも使用される。
【００３２】
会員情報データベース１４は、会員毎に、趣味、年齢、居住地、電子メールアドレス、サービスポイント、購入した楽曲データの履歴などを示した会員データ１４ａが記憶されており、データベース化されている。
【００３３】
つぎに、楽曲データ配信システム１で、楽曲データを購入するときのサーバ２や端末装置３ａ〜３ｃの動作について説明する。
【００３４】
まず、端末装置３ａ〜３ｃで、所定のブラウザを使用して、楽曲データを購入するポータルサイトのＵＲＬを指定すると、サーバ２は、ホームページデータ１３ａにより、ネットワーク網４を介して、端末装置３ａ〜３ｃの表示部に、ポータルサイトを表示させる。
【００３５】
次に、ユーザによって、サーバ２に格納されている楽曲データの中から購入する楽曲データが選択されると、端末装置３は、選択された楽曲データの配信を示す配信要求データを作成してサーバ２に送信する。
【００３６】
次に、サーバ２は、端末装置３から送信された配信要求データを受信すると、端末装置３ａ〜３ｃの表示部に、図６（Ａ）に示すような、楽曲データを購入するホームページ２０を表示させる。ホームページ２０には、購入した楽曲データのリスト２０ａ、購入した楽曲データをクイズに挑戦せずにダウンロードしたときにかかる料金２０ｂ、クイズに挑戦せずにダウンロードするときに選択するダウンロードボタン２０ｃ、クイズに正解してダウンロードするときにかかる料金２０ｄ、クイズに挑戦するときに選択するクイズ挑戦ボタン２０ｅなどが表示されている。
【００３７】
ユーザがクイズ挑戦ボタン２０ｅを選択すると、表示部には、図６（Ｂ）に示すような、クイズ挑戦ページ２１が表示される。クイズ挑戦ページ２１には、イントロ曲名当てクイズや逆再生曲名当てクイズなど、これから出題されるクイズの形式２１ａや、クイズをスタートさせるスタートボタン２１ｂ、解答の候補となる楽曲名２１ｃなどが表示されている。
【００３８】
ユーザがスタートボタン２１ｂを選択すると、クイズがスタートする。本実施の形態では楽曲データのイントロが再生される。ユーザが、解答の候補となる楽曲名２１ｃの中から所望の楽曲名を選択すると、選択した楽曲名が、返答としてサーバ２に送信される。
【００３９】
サーバ２の楽曲クイズソフトウェア１２ｂは、受信した返答の正否を判断し、表示部に、正解ならば図６（Ｃ）に示す正解ページ２２を表示し、不正解ならば図６（Ｄ）に示す不正解ページ２３を表示させる。
【００４０】
正解ページ２２には、正解である旨を知らせる文章２２ａと、購入価格２２ｂと、ダウンロードボタン２２ｃとが表示されている。また、不正解ページ２３には、不正解である旨を知らせる文章２３ａと、購入価格２３ｂと、ダウンロードボタン２３ｃとが表示されている。ユーザは、クイズに正解することにより、楽曲データを、割引価格で購入することができる。
【００４１】
なお、楽曲データ配信システム１は、ユーザが難易度の高いクイズに正解したときには、割引率を上げるサービスを行っても良い。また、楽曲データ配信システム１は、クイズに正解したユーザに対して、更に何曲かの楽曲データをダウンロードするサービスを行っても良い。
【００４２】
また、楽曲データ配信システム１は、クイズに正解することによって楽曲データを配信するときの速度を高速とする構成、すなわち、クイズに対する正否により楽曲データの配信速度を変化させる構成としても良い。楽曲データの配信速度を変化させる構成とすることにより、楽曲データをダウンロードしたりストリーミング再生したりするときにかかる通信負荷を分散させることも可能となる。
【００４３】
なお、楽曲データ配信システム１は、購入した楽曲データの数や金額、及びクイズの正解率などに応じてユーザにポイントを付与し、会員情報データベース１４に記憶する構成としても良い。この構成とするときには、クイズ正解者に対する割引率や配信速度など、楽曲データを配信するときに付加するサービスの内容にポイントを加味し、ポイントが多いユーザに対して、例えばクイズに正解したときの割引率を上げるなどサービス内容を有利なものとしても良い。
【００４４】
以上説明したように、本発明を適用した楽曲データ配信システム１は、サーバ２が、楽曲データを端末装置３ａ〜３ｃに配信する前に、データ格納部１３に格納されている楽曲データを使用したクイズを作成して、端末装置３ａ〜３ｃに配信する。そして、クイズに対する正否に応じて、楽曲データの購入金額を割引したり、楽曲データの配信速度を変化させるなど、楽曲データの配信に付加するサービスの内容を変化させる。
【００４５】
したがって、本発明を適用した楽曲データ配信システム１は、ネットワーク網４を介して楽曲データを購入するサービスを行うときに、ユーザに対して、楽曲データを試聴を含んで聴取する以外に更に娯楽性を付与することが可能となり、魅力的なサービスを与えることが可能となる。また、サーバ２に格納されている楽曲データを、通常の配信以外に有効に利用することが可能となる。
【００４６】
なお、本実施の形態では、本発明を楽曲データの配信システムに適用した例について説明したが、本発明は、楽曲データ以外のデータを配信するシステムに適用することも可能であり、例えば、静止画データ、動画データ、テキストデータ、或いはコンピュータによって実行可能なプログラムデータなどを配信するシステムに適用することも可能である。
【図面の簡単な説明】
【００４７】
【図１】本発明を適用したデータ配信システムの構成を示す図である。
【図２】同データ配信システムに備えられた端末装置で、楽曲データをストリーミング再生している状態を示す図である。
【図３】同データ配信システムに備えられた端末装置で、楽曲データをダウンロードする状態を示す図である。
【図４】本発明を適用したデータ配信システムに備えられたサーバの構成を示すブロック図である。
【図５】本発明を適用したデータ配信システムにおいて、端末装置で、楽曲データをストリーミング再生及びダウンロードする状態を示す図である。
【図６】本発明を適用したデータ配信システムで楽曲データを購入するときに、端末装置の表示部に表示されるページを示す図である。
【符号の説明】
【００４８】
１  楽曲データ配信システム、２  サーバ、３ａ〜３ｃ  端末装置、４  ネットワーク網、１１  通信部、１２  ソフトウェア格納部、１３  データ格納部、１４  会員情報データベース、１５  ＣＰＵ、１６  ＲＡＭ、１７  バス、２０  トップページ、２１  クイズ挑戦ページ、２２  正解ページ、２３  不正解ページ
【図１】
2005122663.tif 000003
【図２】
2005122663.tif 000004
【図３】
2005122663.tif 000005
【図４】
2005122663.tif 000006
【図５】
2005122663.tif 000007
【図６】
2005122663.tif 000008